(57)【要約】 【課題】  ユーザが分かり易いユーザインターフェースを有する画像処理装置を提供する。【解決手段】  実施形態によれば、画像処理装置は、取得部と、表示部と、操作部と、制御部とを有する。取得部は、複数頁分の画像を取得する。表示部は、取得部により取得した各頁の画像をそれぞれサムネイル画像とした各頁のサムネイル画像を並べて表示する。操作部は、表示部に表示する複数のサムネイル画像のうちの１つを選択する。制御部は、表示部が表示する各サムネイル画像の表示位置を、操作部により選択された頁のサムネイル画像と次頁のサムネイル画像とが表示される所定の表示位置に更新する。【選択図】図１
2017103742.tif 000002
【特許請求の範囲】
【請求項１】
複数頁分の画像を取得する取得部と、
前記取得部により取得した各頁の画像をそれぞれサムネイル画像とした各頁のサムネイル画像を並べて表示する表示部と、
前記表示部に表示する複数のサムネイル画像のうちの１つを選択する操作部と、
前記表示部が表示する各サムネイル画像の表示位置を、前記操作部により選択された頁のサムネイル画像と次頁のサムネイル画像とが表示される所定の表示位置に更新する制御部と、
を有する画像処理装置。
【請求項２】
前記所定の表示位置は、前記操作部により選択された頁のサムネイル画像の表示位置と前後頁のサムネイル画像とが表示される位置である、
請求項１に記載の画像処理装置。
【請求項３】
前記所定の表示位置は、前記操作部により選択された頁のサムネイル画像が中央にとなる位置である、
請求項１に記載の画像処理装置。
【請求項４】
前記制御部は、さらに、前記操作部により選択された頁のサムネイル画像を拡大表示させる、
請求項１乃至３の何れか１項に記載の画像処理装置。
【請求項５】
前記制御部は、前記操作部によりサムネイル画像に対する選択状態が解除された場合、各サムネイル画像の表示位置を、前記所定の表示位置に維持する、
請求項１乃至４の何れか１項に記載の画像処理装置。
【発明の詳細な説明】
【技術分野】
【０００１】
本発明の実施形態は、画像処理装置に関する。
【背景技術】
【０００２】
従来、デジタル複合機などの画像処理装置は、複数頁の画像をサムネイル形式で一覧表示する機能を有するものがある。例えば、複合機は、複数頁の原稿をスキャンし、スキャンした複数頁の画像をそれぞれサムネイル形式で表示するプレビュー表示の機能を有するものがある。しかしながら、従来の複合機によるプレビュー表示は、ユーザが選択した頁が分かりづらかったり、次の操作がやり難かったりすることがある。
【先行技術文献】
【特許文献】
【０００３】
【特許文献１】特開２００６−３１１０８１号公報
【発明の概要】
【発明が解決しようとする課題】
【０００４】
本発明が解決しようとする課題は、ユーザに分かり易いユーザインターフェースを有する画像処理装置を提供することにある。
【課題を解決するための手段】
【０００５】
実施形態によれば、画像処理装置は、取得部と、表示部と、操作部と、制御部とを有する。取得部は、複数頁分の画像を取得する。表示部は、取得部により取得した各頁の画像をそれぞれサムネイル画像とした各頁のサムネイル画像を並べて表示する。操作部は、表示部に表示する複数のサムネイル画像のうちの１つを選択する。制御部は、表示部が表示する各サムネイル画像の表示位置を、操作部により選択された頁のサムネイル画像と次頁のサムネイル画像とが表示される所定の表示位置に更新する。
【図面の簡単な説明】
【０００６】
【図１】図１は、実施形態に係る画像処理装置の構成例を概略的に示すブロック図である。
【図２】図２は、実施形態に係る画像処理装置におけるスキャン処理用の操作画面の表示例を示す図である。
【図３】図３は、実施形態に係る画像処理装置におけるプレビュー表示画面の第１の表示例を示す図である。
【図４】図４は、実施形態に係る画像処理装置におけるプレビュー表示画面の第２の表示例を示す図である。
【図５】図５は、実施形態に係る画像処理装置におけるプレビュー表示画面の第３の表示例を示す図である。
【図６】図６は、実施形態に係る画像処理装置におけるプレビュー表示画面の第４の表示例を示す図である。
【図７】図７は、実施形態に係る画像処理装置におけるプレビュー表示画面の第５の表示例を示す図である。
【図８】図８は、実施形態に係る画像処理装置におけるプレビュー表示の処理例を説明するためのフローチャートである。
【図９】図９は、実施形態に係る画像処理装置におけるプレビュー表示の処理例を説明するためのフローチャートである。
【発明を実施するための形態】
【０００７】
以下、実施形態について図面を参照して詳細に説明する。  
まず、画像処理装置としてのＭＦＰ（デジタル複合機（Multi-Functional Peripheral）１の構成について説明する。  
図１は、ＭＦＰ１の構成例を説明するためのブロック図である。  
図１に示す構成例において、ＭＦＰ（デジタル複合機）１は、スキャナ１１、プリンタ１２、システム制御部１３、およびコントロールパネル１４を有する。また、図１に示す構成例において、スキャナ１１、プリンタ１２、およびコントロールパネル１４は、システム制御部１３に接続される。
【０００８】
スキャナ１１は、原稿の画像を光学的に読み取って画像データに変換する装置である。スキャナ１１は、原稿台ガラス上にセットされた原稿、あるいは、原稿給紙装置（ＡＤＦ）により供給される原稿面の画像を読取る。例えば、スキャナ１１は、原稿における主走査方向の１ライン分の画像を画像データに変換するＣＣＤラインセンサなどにより構成する光電変換部を含む。スキャナ１１は、原稿の副走査方向にＣＣＤラインセンサで原稿を走査することにより原稿の画像を読み取る。スキャナ１１は、システム制御部１３から動作指示に応じて原稿のスキャンを実行する。スキャナ１１は、読み取った原稿の画像（画像データ）をシステム制御部１３へ出力する。スキャナ１１は、複数頁分の画像を取得する取得部として機能する。なお、画像を取得する取得部は、外部装置から複数頁分の画像を取得するものであっても良い。
【０００９】
プリンタ１２は、被画像形成媒体としての用紙に画像を形成する。プリンタ１２は、システム制御部１３から指定される様々な印刷条件で、システム制御部１３から供給される画像データに基づく画像を用紙にプリントする。プリンタ１２に指定できる印刷条件は、プリンタ１２の仕様に応じたものとなる。例えば、プリンタ１２がカラープリンタであれば、カラーの設定として、モノクロ或いはカラーの何れかを指定できる。また、プリンタが両面プリント機能を有すれば、印刷面の設定として、片面或いは両面の何れかを指定できる。また、画像をプリントする用紙のサイズおよび種類などは、プリンタ１２にセットした用紙から指定できるようにしても良い。  
なお、プリンタ１２としては、様々な画像形成方式のプリンタが適用できる。例えば、プリンタ１２は、電子写真方式のプリンタであっても良いし、インクジェット方式あるいは熱転写方式などであっても良い。
【００１０】
また、システム制御部１３は、ＭＦＰ１全体を統括的に制御する。システム制御部１３は、スキャナ１１、プリンタ１２、およびコントロールパネル１４などのＭＦＰ１の各部に接続する。システム制御部１３は、スキャナ１１、プリンタ１２、および、コントロールパネル１４と双方向に通信する。システム制御部１３は、スキャナ１１、プリンタ１２、およびコントロールパネル１４などの各部の動作を統括的に制御する。また、システム制御部１３は、画像処理などの各種の処理を行う機能を有する。
【００１１】
図１に示す構成例において、システム制御部１３は、プロセッサ３１、ＲＡＭ３２、ＲＯＭ３３、データメモリ３４、画像メモリ３５、画像処理部３６、ＦＡＸ部３７、および、通信部３８などを有する。プロセッサ３１、ＲＡＭ３２、ＲＯＭ３３およびデータメモリ３４は、各部の制御および各種の処理を実行する処理部として機能する。  
プロセッサ３１は、制御部として機能する。プロセッサ３１は、プログラムに従って演算処理を実行する機能を有する。プロセッサ３１は、例えば、ＣＰＵである。プロセッサ３１は、ＲＯＭ３３あるいはデータメモリ３４が記憶するプログラムを実行することにより種々の処理機能を実現する。ＲＡＭ３２は、ワーキングメモリである。ＲＡＭ３２は、例えば、揮発性のメモリである。ＲＡＭ３２は、実行するプログラムを読み込んだり、バッファメモリとして機能したりする。ＲＯＭ３３は、プログラムメモリである。ＲＯＭ３３は、例えば、書換え不可の不揮発性メモリである。ＲＯＭ３３は、当該ＭＦＰ１に固有のプログラム及び設定データなどを記憶する。
【００１２】
データメモリ３４は、制御データ、制御プログラム、および、設定情報などを記憶する。データメモリ３４は、例えば、書換え可能な不揮発性のメモリである。データメモリ３４は、例えば、各種の動作モードにおけるデフォルト設定値なども記憶する。  
画像メモリ３５は、ハードディクスドライブおよびページメモリなどにより構成を有する。画像メモリ３５は、複数の画像データを記憶する。画像メモリ３５は、スキャンした画像データあるいはプリントする画像データを展開するためのページメモリとしても機能する。なお、画像データは、必ずしも全ての画像メモリ３５に記憶しなくても良い。例えば、画像データは、データメモリ３４が記憶するようにしても良い。
【００１３】
画像処理部３６は、画像データを処理する。画像処理部３６は、スキャナ１１が原稿から読み取った画像データに対する画像処理を行う。また、画像処理部３６は、通信部３８或いはＦＡＸ部３７等を介して外部装置から取得した画像データに対して画像処理を行うようにしても良い。例えば、画像処理部３６は、スキャナ１１がスキャンした画像からサムネイル形式の画像（サムネイル画像）を生成する。なお、画像処理部３６による画像処理機能の一部又は全部は、プロセッサ３１が実施するようにしても良い。  
ＦＡＸ部３７は、ファクシミリ通信を行うためのＦＡＸインターフェースである。通信部３８は、インターネット等のネットワークを介して、外部装置とデータ通信を行うためのネットワークインターフェースである。
【００１４】
コントロールパネル１４は、ユーザインターフェースである。コントロールパネル１４は、ユーザに対する案内を表示したり、ユーザによる操作指示を受け付けたりする。図１に示す構成例において、コントロールパネル１４は、プロセッサ４１、ＲＡＭ４２、ＲＯＭ４３、表示部４４、タッチパネル４５、および、外部インターフェース（Ｉ／Ｆ）４６を有する。  
プロセッサ４１は、コントロールパネル１４を制御する。プロセッサ４１は、プログラムを実行する演算回路である。プロセッサ４１は、例えば、ＣＰＵである。プロセッサ４１は、ＲＯＭ４３に記憶したプログラムを実行することにより種々の処理機能を実現する。プロセッサ４１は、コントロールパネル１４の各部に入力された情報をシステム制御部１３へ供給する。また、プロセッサ４１は、システム制御部１３からの制御信号に応じてコントロールパネル１４の各部を制御する。
【００１５】
ＲＡＭ４２は、ワーキングメモリである。ＲＡＭ４２は、例えば、揮発性のメモリである。ＲＯＭ４３は、不揮発性のプログラムメモリである。ＲＯＭ４３は、書換え可能な不揮発性のメモリで構成されることにより、プログラム、制御データ、設定情報および表示データなどを更新できるようにしても良い。  
表示部４４は、操作画面および操作案内などを表示する。表示部４４は、例えば、液晶表示装置である。表示部４４は、表示画面上にタッチパネル４５を有する。タッチパネル４５は、操作部として機能する。タッチパネル４５は、表示部４４の表示画面上においてユーザがタッチした部位を検知する。タッチパネル４５は、ユーザがタッチした位置を示す情報を検知信号としてプロセッサ４１へ供給する。なお、操作部としては、表示したアイコンを選択できるものであれば良く、例えば、ポインティングデバイスなどの操作装置であっても良い。
【００１６】
プロセッサ４１は、表示部４４に表示する画面を制御する。プロセッサ４１は、システム制御部１３から指示に応じて各種の操作画面を表示部４４に表示する。例えば、プロセッサ４１は、システム制御部１３から指示に応じて複数頁のスキャン画像のサムネイル画像を並べたプレビュー表示画面を表示部４４に表示する。  
また、プロセッサ４１は、タッチパネル４５による検知信号により表示部４４の表示画面にユーザが入力（タッチ）した位置を検知する。例えば、プロセッサ４１は、表示部４４に表示したアイコンの表示位置とタッチパネル４５が検知するユーザのタッチ位置とに基づいてユーザが入力したアイコン（指示内容）を特定する。プロセッサ４１は、検知した指示内容を示す情報をシステム制御部１３のプロセッサ３１へ供給する。また、プロセッサ４１は、タッチパネル４５が検知するユーザによる表示画面へタッチ操作（タッチ位置の移動距離や移動速度などのタッチ状態）に応じて操作指示の内容を検知するようにしても良い。
【００１７】
外部インターフェース４６は、外部機器を接続するためのインターフェースである。外部インターフェース４６は、ＵＳＢ（ユニバーサルシリアルバス）などの汎用の規格に準じたインターフェースとして構成できる。例えば、外部インターフェース４６は、可搬型の記憶装置を接続する。また、外部インターフェースは、テンキー或いは可搬型のキーボードなどを接続しても良い。  
なお、コントロールパネル１４は、ハードキーを具備しても良い。例えば、コントロールパネル１４は、テンキー、或いは、スキャン処理等の処理を指示するためのボタンなどを具備しても良い。
【００１８】
次に、実施形態に係るＭＦＰのコントロールパネル１４の表示部４４が表示する表示画面の例について説明する。  
コントロールパネル１４の表示部４４は、待機状態において、メインメニュー画面を表示する。メインメニュー画面は、各種の操作指示を行うための操作画面である。メインメニュー画面は、コピー処理を指示するアイコン（コピーボタン）、スキャン処理を指示するアイコン（スキャンボタン）、プリント処理を指示するアイコン（コピーボタン）、ファックス処理を指示するアイコン（ファックスボタン）などを表示する。なお、これらのボタンは、コントロールパネル１４にハードキーとして設けても良い。スキャンボタンをユーザがタッチすると、表示部４４は、スキャンメニュー画面を表示する。スキャンメニュー画面は、スキャン処理の内容を設定する操作画面である。
【００１９】
図２は、スキャンメニュー画面５１の表示例を示す図である。  
図２に示すスキャンメニュー画面５１は、表示領域５２ａ、５２ｂ、５２ｃ、および、アイコン５３ａ、５３ｂ、５３ｃなどを有する。  
スキャンメニュー画面５１の表示領域５２ａは、スキャン処理の内容を指示するアイコン群を表示する。図２に示す例では、Ｅメールアイコン５４ａ、ファイルアイコン５４ｂ、ｅファイリングアイコン５４ｃ、ＵＳＢアイコン５４ｄなどのアイコンが表示領域５２ａに表示される。
【００２０】
例えば、Ｅメールアイコン５４ａは、スキャンした画像を電子メールで送信する処理（スキャンｔｏ電子メール）を指示するボタンである。ファイルアイコン５４ｂは、スキャンした画像を指定のファイル（フォルダ）に保存すること（スキャンｔｏファイル）を指示するボタンである。また、ファイルアイコン５４ｂが選択されている場合、スキャン画像の保存先となるファイル（フォルダ）を示す情報が表示領域５２ｂに表示される。ｅファイリングアイコン５４ｃは、スキャンした画像をＭＦＰ１内のメモリ（例えばデータメモリ３４）に保存することを指示するボタンである。ＵＳＢアイコン５４ｄは、スキャンした画像を外部Ｉ／Ｆ４６に接続する外部記憶装置（ＵＳＢメモリ）に保存することを指示するボタンである。  
また、表示領域５２ａにおいて選択されているアイコンには、選択中であることを示す印としてのアンダーバー５５が表示される。図２に示す例では、ファイルアイコン５４ｂにアンダーバー５５が表示されている。なお、選択されているアイコンを示す表示は、アンダーバーでなくても良い。例えば、選択中のアイコンは、反転表示あるいは特定の色で表示しても良いし、枠などで強調表示しても良い。
【００２１】
スキャンメニュー画面５１における表示領域５２ｃは、スキャン設定を示す情報を表示する。図２に示す例では、カラーモード、解像度、画像種類、両面／片面などのスキャン設定を示す情報が表示領域５２ｃに表示される。  
スキャン設定アイコン５３ａは、スキャン設定の実行を指示するボタンである。スキャン設定アイコン５３ａは、表示領域５１ｃの近傍に表示される。スキャン設定アイコン５３ａが指示されると、表示部４４は、スキャン設定を指示するための設定画面を表示する。スキャン設定画面は、カラーモード、解像度、画像種類、両面／片面、プレビュー表示の有無（プレビューモードのオンオフ）などの設定を指示できる操作画面である。スキャン設定画面で指示した設定は、表示領域５２ｃの表示内容（スキャン設定内容）に反映される。
【００２２】
プレビューアイコン５３ｂは、プレビュー表示画面の表示（プレビュー表示）を指示するボタンである。プレビュー表示画面は、スキャン結果を示す表示画面である。プレビュー表示画面は、スキャンした原稿の各頁の画像（スキャン画像）をサムネイル形式で一覧表示する。プレビュー表示画面については、後で詳細に説明する。プレビューアイコン５３ｂが指示された場合、表示部４４は、プレビュー表示画面を表示する。  
スキャンアイコン５３ｃは、スキャンの実行を指示するボタンである。スキャンアイコン５３ｃをユーザがタッチすると、スキャナ１１は、システム制御部１３の制御により現在のスキャン設定に従って原稿のスキャンを実行する。
【００２３】
次に、コントロールパネル１４の表示部４４が表示するプレビュー表示画面について説明する。  
図３、図４、図５、図６、及び図７は、プレビュー表示画面６１の表示例を示す図である。  
図３は、プレビュー表示画面６１（６１ａ）の第１の表示例を示す図である。図４は、プレビュー表示画面６１（６１ｂ）の第２の表示例を示す図である。図５は、プレビュー表示画面６１（６１ｃ）の第３の表示例を示す図である。図６は、プレビュー表示画面６１（６１ｄ）の第４の表示例を示す図である。図７は、プレビュー表示画面６１（６１ｅ）の第５の表示例を示す図である。  
プレビュー表示画面６１は、スキャン結果を示す表示画面である。プレビュー表示画面６１は、スキャン結果として、スキャンした各頁の画像のサムネイル画像を一覧表示する。図３、図４、図５、図６、及び図７に示すように、プレビュー表示画面６１は、表示領域６２ａ、および、アイコン６３ａ〜６３ｆなどを有する。
【００２４】
表示領域６２ａは、スキャンした各頁の画像に対応する各頁のサムネイル画像ｔ１、ｔ２、…を表示する領域である。図３に示す表示例では、各頁のサムネイル画像ｔ１、ｔ２、…は、左から右へ頁番号の順に並べて表示領域６１ａに表示される。プレビュー表示画面は、各頁のサムネイル画像を順番に並べて表示するものであれば良い。例えば、各頁のサムネイル画像は、上から下へ順番に並べても良いし、マトリクス状に並べて表示しても良いし、斜め方向に順番に並べて表示しても良い。また、各頁のサムネイル画像は、一部が次の頁のサムネイル画像と重なるように表示しても良い。
【００２５】
ＯＫアイコン６３ａ、キャンセルアイコン６３ｂ及びスキャン設定アイコン６３ｃは、プレビュー表示画面６１において選択可能な状態で表示される。ＯＫアイコン６３ａ及びキャンセルアイコン６３ｂは、スキャン結果全体に対する処理を指示するボタンである。ＯＫアイコン６３ａは、プレビュー表示されたスキャン結果の確定を指示するボタンである。キャンセルアイコン６３ｂは、プレビュー表示されたスキャン結果の破棄を指示するボタンである。スキャン設定アイコン６３ｃは、さらなるスキャン処理に対する設定を指示するボタンである。
【００２６】
挿入アイコン６３ｄ、置換アイコン６３ｅ及び削除アイコン６３ｆは、拡大表示（選択）されている頁の画像に対する処理を指示するボタンである。挿入アイコン６３ｄ、置換アイコン６３ｅ及び削除アイコン６３ｆは、サムネイル画像の選択状態に応じて選択可能な表示状態と選択不可の表示状態との何れかに切り替わる。例えば、サムネイル画像が拡大表示（選択）されていない場合、アイコン６３ｄ、６３ｅ、６３ｆは、図３及び図４に示すように、選択不可の状態で表示される。また、１つのサムネイル画像が拡大表示（選択）されている場合、アイコン６３ｄ、６３ｅ、６３ｆは、図５に示すように、選択可能な状態で表示される。
【００２７】
挿入アイコン６３ｄは、サムネイル画像が拡大表示（選択）されている頁の画像（選択されているスキャン画像）の削除を指示するボタンである。置換アイコン６３ｅは、選択されている頁の画像を新たにスキャンする画像に置き換えることを指示するボタンである。削除アイコン６３ｆは、選択されている頁の直前に新たにスキャンする画像を挿入することを指示するボタンである。
【００２８】
プレビュー表示画面６１の表示領域６２ａに表示される各頁のサムネイル画像ｔ１、ｔ２、…は、それぞれがアイコンとして選択可能な状態で表示される。ユーザは、サムネイル画像の表示部位（アイコン）をタッチすることによりスキャンした各頁の画像のうち特定の頁を選択できる。プレビュー表示画面６１において、各頁のサムネイル画像は、選択されたサムネイル画像を基準に表示位置が移動（更新）される。表示位置が移動された後、選択されたサムネイル画像が拡大表示される。例えば、図３に示すプレビュー表示画面６１ａにおいてサムネイル画像ｔ６がタッチされたものとする。サムネイル画像ｔ６がタッチされると、各頁のサムネイル画像ｔ１、ｔ２、…は、図４に示すプレビュー表示画面６１ｂのように、サムネイル画像ｔ６が中央に表示されるように表示位置が移動される。また、図３及び図４に示すプレビュー表示画面６１ａ、６１ｂにおいて、選択されたサムネイル画像ｔ６は、枠６４を表示することにより強調表示される。さらに、タッチされたサムネイル画像ｔ６は、表示位置が移動した後、図５に示すプレビュー表示画面６１ｃように、拡大表示される。
【００２９】
すなわち、１つのサムネイル画像が選択されると、各サムネイル画像は、並び順を変えずに選択されたサムネイル画像を基準に表示位置が全体的に移動（更新）される。例えば、各サムネイル画像は、並び順を変えずに選択されたサムネイル画像が中央となるように表示位置が全体的に移動される。選択されたサムネイル画像が中央に位置するように表示することにより、プレビュー表示画面において、選択されたサムネイル画像がユーザに認識されやすくなる。また、選択されたサムネイル画像を中央に表示したプレビュー表示画面では、選択されたサムネイル画像の近傍の頁のサムネイル画像の確認および選択が容易になる。
【００３０】
ただし、各サムネイル画像の表示位置は、選択されたサムネイル画像を基準に移動するものであれば良く、選択されたサムネイル画像を中央とする事に限定するものではない。例えば、各サムネイル画像の表示位置は、選択されたサムネイル画像の次頁のサムネイル画像が表示される位置になるものであれば良い。このようなプレビュー表示画面では、選択されたサムネイル画像の次頁のサムネイル画像は、常に視認でき、かつ、選択できる状態で表示できる。また、各サムネイル画像の表示位置は、選択されたサムネイル画像の前後頁のサムネイル画像が表示される位置になるものであっても良い。このようなプレビュー表示画面では、選択されたサムネイル画像の前後頁のサムネイル画像は、常に視認でき、かつ、選択できる状態で表示できる。
【００３１】
プレビュー表示画面６１において、選択されたサムネイル画像は、移動（更新）後の表示位置において拡大表示される。図５に示すプレビュー表示画面６１ｃでは、選択されたサムネイル画像ｔ６が、移動後の表示位置（中央）で、拡大表示されている。プレビュー表示画面６１ｃでは、拡大表示されたサムネイル画像の頁が選択中であることを示す。図５に示すプレビュー表示画面６１ｃでは、サムネイル画像ｔ６を拡大表示することにより、６頁目の画像が選択中であることが示される。なお、拡大表示は、単にサムネイル画像を拡大したものであっても良いし、当該頁のスキャン画像を変倍した画像を表示しても良い。
【００３２】
サムネイル画像の拡大表示は、例えば、初期状態では前後の頁のサムネイル画像が選択できる範囲で拡大表示するものとする。これにより、ユーザは、あるサムネイル画像を拡大表示した状態であっても、前後の頁の画像の少なくとも一部を確認及び選択することができる。
【００３３】
また、選択されたサムネイル画像を拡大表示したプレビュー画面６１は、タッチパネル４５への各種の操作（タッチ操作）に応じて表示状態が変更される。例えば、拡大表示（選択）されたサムネイル画像は、ピンチアウト（ピンチオープン）などのタッチ操作により一部又は全部が拡大される。また、拡大表示（選択）されたサムネイル画像は、ピンチイン（ピンチクローズ）などのタッチ操作により一部又は全部を縮小させても良い。また、プレビュー画面６１中の各サムネイル画像は、タッチ操作（スワイプ又はフリック）に応じて表示位置が移動される。以下に、図５に示すプレビュー表示画面６１ｃに対する各種のタッチ操作に応じた表示状態の変更（画面遷移）の例について説明する。
【００３４】
選択中のサムネイル画像を拡大表示したプレビュー画面６１において、サムネイル画像或いはアイコンなどのオブジェクトが表示されていない部位（オブジェクト領域外）がタッチされると、サムネイル画像の拡大表示（選択状態）が解除される。サムネイル画像の拡大表示（選択状態）を解除するためのタッチ操作としては、例えば、オブジェクト領域外をタップする操作とオブジェクト領域外においてスワイプ又はフリックする操作とがある。ここでは、タップは、表示画面（タッチパネル）上をなぞることなく、単に表示画面にタッチする操作であるものとする。また、スワイプ又はフリックは、表示画面（タッチパネル）上をなぞる（こする）動きを伴う操作であるものとする。
【００３５】
例えば、オブジェクト領域外がタップされると、サムネイル画像の拡大表示が解除（選択状態が解除）され、拡大表示されていたサムネイル画像は通常サイズで表示される。また、各頁のサムネイル画像ｔ１、ｔ２、…は、選択状態が解除されたサムネイル画像の位置を基準として並べた表示位置に表示される。例えば、図５に示すプレビュー表示画面６１ｃにおいてオブジェクト領域外がタップされると、サムネイル画像ｔ６の拡大表示（選択）が解除（通常サイズで表示）され、各サムネイル画像ｔ１、ｔ２、…は、図４に示すプレビュー表示画面６１ｂのようにサムネイル画像ｔ６が中央となる表示位置で表示される。この場合も、選択解除されたサムネイル画像ｔ６には、図４に示すプレビュー表示画面６１ｂのように、枠６４を表示しても良い。
【００３６】
すなわち、オブジェクト領域外がタップされると、選択状態が解除された（拡大表示が閉じられた）サムネイル画像は、拡大表示されていた位置に通常サイズで表示される。例えば、サムネイル画像を中央で拡大表示したプレビュー表示画面においてオブジェクト領域がタップされると、各サムネイル画像は、選択解除されたサムネイル画像が中央となる表示位置で表示される。この結果、選択解除された直後（拡大表示が解除された直後）に、ユーザは選択されていたサムネイル画像を認識し易く、選択されていた頁の近傍の頁のサムネイル画像を選択し易くなる。また、選択解除されたサムネイル画像を枠などで強調表示することにより、選択されていたサムネイル画像を認識し易くすることもできる。
【００３７】
なお、選択解除されたサムネイル画像が最終頁である場合も、各サムネイル画像は、選択解除されたサムネイル画像が中央になるように表示して良い。また、選択解除されたサムネイル画像が最終頁である場合、各サムネイル画像は、選択解除されたサムネイル画像が右端となるように表示しても良い。
【００３８】
また、サムネイル画像を拡大表示したプレビュー表示画面６１ｃにおいては、拡大表示の解除と各サムネイル画像の表示位置の移動とをタッチ操作により受け付けても良い。例えば、プレビュー表示画面６１のオブジェクト領域外においてスワイプ又はフリックが入力されると、拡大表示が解除されるとともに、各サムネイル画像の表示位置が移動されるようにしても良い。
【００３９】
図６は、図５に示すサムネイル画像ｔ６以外の表示部位に左方向へ３頁分のスワイプが入力された場合のプレビュー表示画面６１ｄの例である。すなわち、図５に示すプレビュー表示画面６１ｃにおけるサムネイル画像ｔ６以外の表示部位に左方向へ３頁分のスワイプが入力されると、表示部４４は、図６に示すようなプレビュー表示画面６１ｄを表示する。図６に示すプレビュー表示画面６１ｄでは、サムネイル画像ｔ６の選択が解除され、各サムネイル画像ｔ１、ｔ２、…が左へ３頁分移動した表示位置で表示される。この場合も、選択解除されたサムネイル画像ｔ６には、枠６４を表示しても良い。
【００４０】
上述の例によれば、ユーザは、プレビュー表示画面６１に対して選択状態のサムネイル画像を拡大表示したままでの表示位置の移動を一連のタッチ操作（スワイプ又はフリック）によって指示できる。この結果として、プレビュー表示画面６１において、サムネイル画像の表示位置を移動させるための操作を簡単かつ直観的にすることができる。すなわち、ユーザは、プレビュー画面６１に対して拡大表示（選択状態）の解除と各サムネイル画像の表示位置の移動とをスワイプ又はフリックなどの一連のタッチ操作で指示できる。
【００４１】
また、サムネイル画像を拡大表示したプレビュー表示画面６１ｃにおいては、拡大表示を解除せずに各サムネイル画像の表示位置を移動させるタッチ操作を受け付けても良い。例えば、プレビュー表示画面６１において拡大表示されたサムネイル画像の表示領域がスワイプ（又はフリック）されると、拡大表示を解除せずに各サムネイル画像の表示位置が移動されるようにしても良い。
【００４２】
図７は、図５に示すプレビュー表示画面６１ｃにおけるサムネイル画像ｔ６の表示部位に左方向へのスワイプ（又はフリック）が入力された場合のプレビュー表示画面６１ｅの表示例である。すなわち、図５に示すプレビュー表示画面６１ｃにおけるサムネイル画像ｔ６の表示部位において左方向へスワイプが入力されると、表示部４４は、図７に示すようなプレビュー表示画面６１ｅを表示する。図７に示すプレビュー表示画面６１ｅでは、サムネイル画像ｔ６が拡大表示されたままで、各サムネイル画像ｔ１、ｔ２、…が左へ移動（シフト）した表示位置で表示される。
【００４３】
上記の例によれば、ユーザは、プレビュー画面６１に対して選択状態のサムネイル画像を拡大表示したままでの表示位置の移動を一連のタッチ操作（スワイプ又はフリック）によって指示できる。この結果として、プレビュー表示画面６１において、サムネイル画像の表示位置を移動させるための操作を簡単かつ直観的にすることができる。すなわち、ユーザは、プレビュー画面６１に対して拡大表示させたままでの各サムネイル画像の表示位置の移動をスワイプ又はフリックなどの一連のタッチ操作によって指示できる。
【００４４】
次に、実施形態に係るＭＦＰ１によるプレビュー表示の動作例について説明する。  
図８および図９は、実施形態に係るＭＦＰ１がスキャン処理においてプレビュー表示を行う場合の動作例を説明するためのフローチャートである。  
システム制御部１３のプロセッサ３１は、待機状態において、コントロールパネル１４の表示部４４にメインメニュー画面を表示する。メインメニュー画面は、スキャン処理を指示するアイコン（スキャンボタン）を含む操作画面である。コントロールパネル１４のプロセッサ４１は、タッチパネル４５によりスキャンボタンの表示部位にユーザがタッチしたことをタッチパネル４５の検知信号により検知する。プロセッサ４１は、スキャンボタンにユーザがタッチしたことを検知すると、スキャンボタンが指示されたことをプロセッサ３１へ通知する。これにより、プロセッサ３１は、スキャン処理が指示されたことを検知する。
【００４５】
プロセッサ３１は、スキャン処理が指示されると、スキャンメニュー画面５１を表示部４４に表示する（ＡＣＴ１１）。スキャンメニュー画面５１は、スキャン処理の内容を設定する操作画面である。スキャンメニュー画面５１を表示した状態において、プロセッサ３１は、スキャン処理の内容、スキャン設定、および、スキャン実行の指示などを受け付ける。スキャン処理の内容を指定するアイコンが入力された場合、プロセッサ３１は、指示されたアイコンに従ってスキャン処理の内容を設定する（ＡＣＴ１２）。また、スキャン設定が指示された場合、プロセッサ３１は、指定されたスキャン設定を反映させる。
【００４６】
スキャン実行を指示するアイコンが指示された場合（ＡＣＴ１３、ＹＥＳ）、プロセッサ３１は、スキャナ１１によるスキャンを実行する（ＡＣＴ１４）。プロセッサ３１は、設定されているスキャン設定に従って原稿の各頁をスキャンする動作指示をスキャナ１１へ送る。スキャナ１１は、プロセッサ３１からの動作指示に応じて原稿の各頁の画像を順番にスキャンする。例えば、スキャナ１１は、ＡＤＦにより順に供給される原稿を読み取るようにしても良いし、原稿台ガラスに順番にセットされる原稿を順番に読み取るようにしても良い。スキャナ１１は、スキャンした原稿の各頁の画像をシステム制御部１３へ供給する。システム制御部１３は、スキャナ１１がスキャンした各頁の画像を画像メモリ３５に蓄積する。なお、ここでは、スキャナ１１は、複数頁の原稿の画像をスキャンするものとする。
【００４７】
スキャンを開始すると、プロセッサ３１は、スキャンした画像（スキャン結果）のプレビュー表示が有りに設定されているか否か判断する（ＡＣＴ１５）。プレビュー表示が有りに設定されている場合（ＡＣＴ１５、ＹＥＳ）、プロセッサ３１は、スキャナ１１がスキャンした各頁の画像のプレビュー表示画面６１を表示部４４に表示する処理を行う。プレビュー表示画面を表示するため、プロセッサ３１は、スキャナ１１がスキャンした各頁の画像から各頁のサムネイル画像を生成する（ＡＣＴ１６）。
【００４８】
サムネイル画像は、プロセッサ３１が生成しても良いし、画像処理部３６がサムネイル画像を生成しても良い。また、サムネイル画像は、スキャンした画像を縮小することにより生成しても良い。この場合、サムネイル画像は簡単な処理で生成できる。また、サムネイル画像は、スキャンした画像に対して所定の変換処理により縮小されることにより生成されても良い。この場合、解像度を低くする等の変換処理によりサムネイル画像のデータ量をスキャンした画像よりも少なくでき、プレビュー表示を行うための処理の負荷を軽減できる。
【００４９】
各頁のサムネイル画像を生成すると、プロセッサ３１は、生成した各頁のサムネイル画像を並べたプレビュー表示画面６１を表示部４４に表示させる（ＡＣＴ１７）。例えば、プロセッサ３１は、プレビュー表示画面６１を表示させた後、表示領域６２ａに各頁のサムネイル画像を生成した順に表示させる。また、プロセッサ３１は、全頁のサムネイル画像を生成した後にプレビュー表示画面６１を表示部４４に表示させるようにしても良い。  
プレビュー表示画面６１を表示した状態において、プロセッサ３１は、サムネイル画像の選択を受け付ける（ＡＣＴ１８）。例えば、プロセッサ４１は、タッチパネル４５の検知信号により表示部４４が表示する各頁のサムネイル画像の表示部位（アイコン）に対する入力を監視する。サムネイル画像の表示部位への入力を検知した場合、プロセッサ４１は、選択されたサムネイル画像を示す情報をプロセッサ３１へ通知する。プロセッサ３１は、プロセッサ４１からの通知により選択されたサムネイル画像を検知する。
【００５０】
何れかのサムネイル画像が選択された場合（ＡＣＴ１８、ＹＥＳ）、プロセッサ３１は、選択されたサムネイル画像を基準に、各サムネイル画像の表示位置を変更（更新）する（ＡＣＴ１９）。例えば、プロセッサ３１は、各サムネイル画像の表示順番を変更せずに、選択されたサムネイル画像が中央となるように各サムネイル画像の表示位置を移動（シフト）させる。また、プロセッサ３１は、選択されたサムネイル画像と共に、少なくとも次頁のサムネイル画像が表示されるように各サムネイル画像の表示位置を移動させる。また、プロセッサ３１は、選択されたサムネイル画像を枠６４などで強調表示しても良い。
【００５１】
プロセッサ３１は、選択されたサムネイル画像を基準に各サムネイル画像の表示位置を変更した後、選択されたサムネイル画像を拡大表示する（ＡＣＴ２０）。プロセッサ３１は、前後のサムネイル画像が選択可能な範囲で選択されたサムネイル画像を拡大表示する。プロセッサ３１は、拡大表示したサムネイル画像の表示状態をユーザによるタッチ操作に応じて変更するようにしても良い。
【００５２】
サムネイル画像を拡大表示する場合、プロセッサ３１は、拡大表示したサムネイル画像の頁に対する処理を指示するアイコンを表示する（ＡＣＴ２１）。例えば、図５に示すプレビュー表示画面６１ｃでは、プロセッサ３１は、１つのサムネイル画像を拡大表示するとともに、削除アイコン、置換アイコン、挿入アイコンを選択可能な状態で表示させる。この状態において、プロセッサ３１は、表示したアイコンに対する指示に応じた処理を実行する（ＡＣＴ２３）。例えば、削除アイコンが指示された場合、プロセッサ３１は、拡大表示されている（選択状態の）サムネイル画像の頁のスキャン画像を削除する。
【００５３】
また、サムネイル画像を拡大表示している場合、プロセッサ３１は、拡大表示しているサムネイル画像の拡大表示（選択）を解除する指示を受け付ける（ＡＣＴ２４）。例えば、プロセッサ３１は、プレビュー表示画面６１においてサムネイル画像やアイコン等のオブジェクトが表示されていない領域（オブジェクト領域外）へのタッチ操作（タップ、スワイプ、フリックなど）をサムネイル画像の選択を解除する指示として受け付ける。
【００５４】
選択解除の指示を検知した場合（ＡＣＴ２４、ＹＥＳ）、プロセッサ３１は、拡大表示を解除する（ＡＣＴ２５）。また、プロセッサ３１は、拡大解除された直後のサムネイル画像を、図４に示すように、枠を表示することなどで強調表示しても良い。  
また、拡大表示を解除するとともに、プロセッサ３１は、選択状態のサムネイル画像の頁に対する処理を指示するアイコンを非表示にする（ＡＣＴ２６）。例えば、プロセッサ３１は、図４に示すように、挿入アイコン６３ｄ、置換アイコン６３ｅ、削除アイコン６３ｆを選択不可の状態で表示させる。
【００５５】
さらに、拡大解除する場合、プロセッサ３１は、各サムネイル画像の表示位置を移動するか否かを判断する（ＡＣＴ３１）。例えば、プロセッサ３１は、オブジェクト領域外へのタッチ操作が移動指示を含まない操作（タップ）であれば、各サムネイル画像の表示位置を変更しないと判断する。また、プロセッサ３１は、オブジェクト領域外へのタッチ操作がスワイプ或はフリックであれば、各サムネイル画像の表示位置を変更すると判断する。
【００５６】
サムネイル画像の表示位置を変更しないと判断した場合（ＡＣＴ３１、ＮＯ）、プロセッサ３１は、サムネイル画像の選択に応じて移動させた表示位置から変更しない。つまり、オブジェクト領域外がタップされた場合、プロセッサ３１は、サムネイル画像の表示位置を変更せずに、拡大表示を通常表示に変更する。例えば、プロセッサ３１は、表示部４４に表示するプレビュー表示画面６１を図５に示すプレビュー表示画面６１ｃから図４に示すプレビュー表示画面６１ｂに遷移させる。
【００５７】
また、サムネイル画像の表示位置を変更すると判断した場合（ＡＣＴ３１、ＹＥＳ）、プロセッサ３１は、通常表示に変更したサムネイル画像を含む各サムネイル画像の表示位置を変更する（ＡＣＴ３２）。つまり、オブジェクト領域外がスワイプ又はフリックされた場合、プロセッサ３１は、拡大表示を通常表示に変更する共に、各サムネイル画像の表示位置を移動させる。例えば、プロセッサ３１は、表示部４４に表示するプレビュー表示画面６１を図５に示すプレビュー表示画面６１ｃから図６に示すプレビュー表示画面６１ｄに遷移させる。
【００５８】
また、選択解除の指示を検知しなかった場合（ＡＣＴ２４、ＮＯ）、プロセッサ３１は、拡大表示のまま（選択解除無しのまま）でのサムネイル画像の表示位置の移動が指示されたかを判断する（ＡＣＴ３３）。例えば、拡大表示されたサムネイル画像の表示部位においてスワイプ又はフリックの入力が検知された場合、プロセッサ３１は、拡大表示のままで各サムネイル画像の表示位置を移動させると判断する。  
サムネイル画像の表示位置を変更しないと判断した場合（ＡＣＴ３３、ＮＯ）、プロセッサ３１は、サムネイル画像の表示位置を移動させることなく、ＡＣＴ２７へ進む。
【００５９】
サムネイル画像の表示位置を移動させると判断した場合（ＡＣＴ３３、ＹＥＳ）、プロセッサ３１は、拡大表示のサムネイル画像を含む各サムネイル画像の表示位置を変更する（ＡＣＴ３４）。つまり、拡大表示したサムネイル画像の表示領域内でスワイプ又はフリックが入力された場合、プロセッサ３１は、拡大表示を維持したまま、各サムネイル画像の表示位置を移動（シフト）させる。例えば、プロセッサ３１は、表示部４４に表示するプレビュー表示画面６１を図５に示すプレビュー表示画面６１ｃから図７に示すプレビュー表示画面６１ｅに遷移させる。
【００６０】
ＡＣＴ１８−２６及び３１−３４の処理は、ＯＫアイコン６３ａへの入力が検知される迄（ＡＣＴ２７、ＮＯ）、又はキャンセルアイコン６３ｂへの入力が検知される迄、繰り返し実行される。なお、ＡＣＴ１７−２７の処理は、プロセッサ３１からの指示を受けたプロセッサ４１が実行するようにしても良い。
【００６１】
ＯＫアイコン６３ａへの入力を検知した場合（ＡＣＴ２７、ＹＥＳ）、プロセッサ３１は、プレビュー表示したスキャン結果を確定させる（ＡＣＴ２８）。スキャン結果を確定すると、プロセッサ３１は、確定したスキャン結果（各頁のスキャン画像）に対して指示されている処理を実行する（ＡＣＴ２９）。例えば、スキャンｔｏ電子メールが指示されている場合、プロセッサ３１は、各頁のスキャン画像を指定のメールアドレスへ送信する。また、スキャンｔｏファイルが指示されている場合、プロセッサ３１は、各頁のスキャン画像を指定のファイル（フォルダ）に保存する。
【００６２】
なお、キャンセルアイコン６３ｂへの入力を検知した場合、プロセッサ３１は、スキャン結果を破棄する。また、スキャン設定アイコン６３ｃへの入力を検知した場合、プロセッサ３１は、スキャン設定を実行する。このスキャン設定は、追加で実行されるスキャン処理に適用されるものとなる。また、ＡＣＴ１８−２７の処理は、プロセッサ４１が実行するようにしても良い。
【００６３】
以上のように、上記実施形態によれば、画像処理装置としてのデジタル複合機は、原稿の各頁のスキャン画像をサムネイル形式で一覧表示したプレビュー表示画面を表示する。画像処理装置は、１つのサムネイル画像が選択された場合、各サムネイル画像の表示位置を選択されたサムネイル画像を基準に移動させる。さらに、画像処理装置は、表示位置を移動させた後、選択されたサムネイル画像の頁の画像を拡大表示する。これにより、選択された頁の画像が分かり易く、かつ、選択した頁の前後頁の画像に対する処理の指示が行いやすいプレビュー表示を提供できる。
【００６４】
また、実施形態の画像処理装置は、選択されたサムネイル画像を基準として、各サムネイル画像の表示位置を移動させた状態のプレビュー表示画面を提供できる。例えば、実施形態の画像処理装置は、選択されたサムネイル画像が中央となるように、各サムネイル画像の表示位置を移動させた状態のプレビュー表示画面を提供できる。選択されたサムネイル画像が中央となるように各頁のサムネイル画像を表示すると、選択した頁が分かり易く、かつ、選択した頁の前後にある頁の画像の確認及び選択が容易になる。この結果として、実施形態の画像処理装置は、スキャンした各頁の画像を、ユーザが選択した頁が分かり易く、次の操作がやり易いプレビュー表示を提供できる。また、実施形態の画像処理装置は、選択した画像の拡大表示を解除した（拡大画面を閉じた）場合にも、選択していた画像（頁）を分かり易いプレビュー表示を提供できる。
【００６５】
上述した実施形態の印刷装置の制御部で実行されるプログラムは、インストール可能な形式または実行可能な形式のファイルでＣＤ−ＲＯＭ、フレキシブルディスク、ＣＤ−Ｒ、ＤＶＤ（Digital Versatile Disk）等のコンピュータで読み取り可能な記憶媒体に記録されて提供される。また、実施形態の印刷装置の制御部で実行されるプログラムは、インターネット等のネットワーク経由で提供または配布しても良い。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１…デジタル複合機（画像処理装置）、１１…スキャナ（取得部）、１２…プリンタ、１３…システム制御部、１４…コントロールパネル、３１…プロセッサ（制御部）、４４…表示部、４５…タッチパネル（操作部）。
【図１】
2017103742.tif 000003
【図２】
2017103742.tif 000004
【図３】
2017103742.tif 000005
【図４】
2017103742.tif 000006
【図５】
2017103742.tif 000007
【図６】
2017103742.tif 000008
【図７】
2017103742.tif 000009
【図８】
2017103742.tif 000010
【図９】
2017103742.tif 000011